(57)【要約】【課題】全体成分に含有される有害物質の除去あるいは減少を図り、リサイクル使用することも可能とした生分解性プラスチックとする。【解決手段】生分解性プラスチックはセラミックスパウダーを混入してあることとし、前記した生分解性プラスチックは脂肪族ポリエステルとしたこととし、前記したセラミックスパウダーは天然のものを使用することとし、前記したセラミックスパウダーは合成のものを使用することとする。【選択図】　　　　　なし【特許請求の範囲】
【請求項１】
セラミックスパウダーを混入してあることを特徴とする生分解性プラスチック。
【請求項２】
前記した生分解性プラスチックは脂肪族ポリエステルとしたことを特徴とする請求項１に記載の生分解性プラスチック。
【請求項３】
前記した脂肪族ポリエステルとして乳酸を主成分としたものであることを特徴とする請求項２に記載の生分解性プラスチック。
【請求項４】
前記した脂肪族ポリエステルとしてヒドロキシアルカノエートユニットを有する微生物より産出されるものであることを特徴とする請求項２に記載の生分解性プラスチック。
【請求項５】
前記した脂肪族ポリエステルとして化学合成したものであることを特徴とする請求項２に記載の生分解性プラスチック。
【請求項６】
前記したセラミックスパウダーは天然のものを使用することを特徴とする請求項１、請求項２、請求項３、請求項４または請求項５に記載の生分解性プラスチック。
【請求項７】
前記したセラミックスパウダーは合成のものを使用することを特徴とする請求項１、請求項２、請求項３、請求項４または請求項５に記載の生分解性プラスチック。
【請求項８】
前記した合成セラミックスの主成分は酸化珪素及び酸化アルミニウムとしたことを特徴とする請求項７に記載の生分解性プラスチック。
【発明の詳細な説明】
【０００１】
【発明の属する技術分野】
本発明は生分解性プラスチックに関し、その成分構成上の改良に関する。
【０００２】
【発明の背景】
従来、プラスチックにより成形されている容器や包装用フィルム、その他各種機器のケーシング等は廃棄するについて、焼却すると有害なガスが多量に発生して環境を害し、埋設するにしても土地が少なくなっており、処分しきれないものとなってしまっている。
【０００３】
そこで、近年は廃棄物としての増加や省資源等の環境問題の一環として生分解性プラスチックの研究が進められ、一部は実用化されるに至っている。
【０００４】
その生分解性プラスチックとして実用化されている一般的なものは、例えば３−ヒドロキシブチレート／３−ヒドロキシヴァリレートの共重合樹脂を原料とし、飲料容器用等としてブロー成形されている。
【０００５】
この生分解性プラスチックは埋め立て地や山林、畑地等に投棄された場合に、微生物等の侵食作用で崩壊、分解され、土地成分と同化してしまうこととなり、廃棄処分上、環境の面から非常に有利なものとなっている。
【０００６】
【発明が解決しようとする課題】
しかしながら、従来知られている生分解性プラスチックは高分子化合の結果による組成として人体に対して悪影響を与える有害物質は未だに多く含有されており、飲食物の容器やパッケージフィルム、あるいは植物育成用のプランタン、その他諸々の製品について完璧な安全性は保障されるものでもなく、さらにはこの生分解性プラスチックをリサイクル使用することも極めて困難なものとなっている。
【０００７】
【発明の目的】
そこで、本発明は上記した従来の実情、問題点に着目してなされたもので、かかる問題点を解消して、全体成分に含有される有害物質の除去あるいは減少を図り、リサイクル使用することも可能とした生分解性プラスチックを提供することを目的としている。
【０００８】
【課題を解決するための手段】
この目的を達成するために、本発明に係る生分解性プラスチックはセラミックスパウダーを混入してあることを特徴とし、前記した生分解性プラスチックは脂肪族ポリエステルとしたことを特徴とし、前記した脂肪族ポリエステルとして乳酸を主成分としたものであることを特徴とし、前記した脂肪族ポリエステルとしてヒドロキシアルカノエートユニットを有する微生物より産出されるものであることを特徴とし、前記した脂肪族ポリエステルとして化学合成したものであることを特徴としている。
【０００９】
また、本発明に係る生分解性プラスチックは前記したセラミックスパウダーは天然のものを使用することを特徴とし、前記したセラミックスパウダーは合成のものを使用することを特徴とし、前記した合成セラミックスの主成分は酸化珪素及び酸化アルミニウムとしたことを特徴としている。
【００１０】
【作用】
上記した構成としたことによって、混入されたセラミックスパウダーから放射される遠赤外線の作用やセラミックスパウダーの有する吸着同化作用によって有害成分を分解、あるいは取り込んでそれを除去し、あるいは減少させることとなるのであり、飲食物用の容器（貯蔵用も含む）や包装フィルム、プランタンや各種機器のボディケーシング等の安全性が高められることとなり、既存の生分解性プラスチックをリサイクルして本発明品に応用することも、本発明品をそのままリサイクル使用することも十分に可能なものとなっている。
【００１１】
【発明の実施の形態】
次に、本発明の実施の形態を説明する。この実施例における主体となる生分解性プラスチックには格別に特定はないが、脂肪族ポリエステルが好ましい。この脂肪族ポリエステルとしては乳酸を主成分とした樹脂やヒドロキシアルカノエートユニットを有する微生物より産出される脂肪族ポリエステル、あるいは化学合成による脂肪族ポリエステルが用いられる。
【００１２】
上記したうち、乳酸を主体とした樹脂として、平均分子量は１万〜十万程度が好ましく、乳酸とオキシカルボン酸のコポリマーでもよく、オキシカルボン酸はグリコール酸または６−ヒドロキシカプロン酸でもよい。また、乳酸はＤ−乳酸、Ｌ−乳酸またはそれらの混合物でもよい。
【００１３】
また、上記したヒドロキシアルカノエートユニットを有する微生物より産出される脂肪族ポリエステルとしては、３−ヒドロキシバリレート、３−ヒドロキシブチレート、３−ヒドロキシカプロエート、３−ヒドロキシヘプタノエート及びそれらの側鎖に種々の官能基を有するＰ（３ＨＡ）共重合体の一つまたは二つ以上の混合物を用いることができる。
【００１４】
さらに、本実施の形態に使用されるセラミックスとしては酸化珪素と酸化アルミニウムを主成分とし、そこに、その他の酸化金属を混入配合したものとなる。
【００１５】
このセラミックスの原料粉は都合のよい大きさとするため、通常アルミナボールの入れてあるボールミル内に投入され、回転されることで前記アルミナとの衝突により粉砕する。
【００１６】
この粉砕された原料粉は粒子の大きさを揃えるためにフルイを使って分別していき、１ミクロン以下の小さな粒子を得るために、水に混ぜて懸濁液とし、必要なものを回収する。
【００１７】
こうして得られた原料粉の粒子は混練機によって水を加えて練り上げられ粘土状としたものを所定の型に入れて乾燥させる。この際に、原料粉の粒子の大きさは寸法が均一であるよりも大きさを違えることにより、毛細管現象で水が粒子をつなぎ粘土状とするために、より緻密なものとすることができる。
【００１８】
乾燥後、これを高温で焼成すると、粒子が反応して接合する燒結反応が生じ、粒子間にやや隙間を残したセラミックスが得られる。こうして得られたセラミックス塊は摩砕機によってパウダー化される。本実施例でこのパウダーは０．３ミクロン程度のものとしている。
【００１９】
こうして得られたセラミックスパウダーは、前記した生分解性プラスチックを溶融状態とした中に添加混入され、攪拌されることとなる。
【００２０】
このセラミックスパウダーを混入された生分解性プラスチックを用い、これをブロー成形することで飲料用ボトルを作成した。この飲料用ボトルは土中に埋設することで約６ヶ月後にはその総重量が約３０％〜２０％と減少し、生分解性を発揮していることが解る。
【００２１】
また、通常の使用中における状態にあっても混入されているセラミックスパウダーの特性によって生分解性プラスチックを組成する有害物質を除去あるいは減少させている。
【００２２】
【発明の効果】
本発明に係る生分解性プラスチックは上述のように構成されている。そのために、ゴミ処理場や自然界に投棄されたとしても微生物に侵食されて土と一体化し、その際に、有害成分は除去されあるいは減少されているため環境への悪影響を従来と比して一層ないものとでき、使用中にあっても高分子組成からの悪影響を受けることがなくなる。また、既存の生分解性プラスチックを利用してのリサイクルや、本発明品のリサイクルも可能で省資源効果を有し、非常に安価なものとして需要者に供給することもできる。加えて、生分解性プラスチックに必要に応じた硬度を与えることができるため、飲食物の容器、包装フィルム等のほかに硬剛性を要する各種製品を製作することが可能となり、その応用範囲は著しく広いものとなる。